(57)【要約】  永久磁石励磁型電気モータが、ポールハウジング内に保持された永久磁石を有し、この永久磁石は磁束案内部材に割り当てられており、少なくとも１つの永久磁石と磁束案内部材とは形状的に互いに係合するよう配置されている。
2013500696.tif 000002
【特許請求の範囲】
【請求項１】
固定子がポールハウジング（２８）と、該ポールハウジング（２８）に保持された永久磁石（３１）とを有し、該永久磁石（３１）には磁束案内部材（３００）が割り当てられており、永久磁石（３１）と磁束案内部材（３００）をポールハウジング（２８）の内側（３０７）に固定するための固定手段が設けられている永久磁石励磁型電気モータにおいて、
少なくとも１つの永久磁石（３１）と磁束案内部材（３００）とが形状的に互いに係合するよう配置されており、取り付けられた状態では永久磁石（３１）と磁束案内部材（３００）との間に半径方向の形状的な結合が得られる、ことを特徴とする電気モータ。
【請求項２】
請求項１に記載の電気モータにおいて、
取り付けられた状態では付加的に、永久磁石（３１）と磁束案内部材（３００）との間に周方向の形状的な結合が得られる電気モータ。
【請求項３】
請求項１または２に記載の電気モータにおいて、
一方の構成部材にあって周方向に伸長する突起（３１７）が、他方の構成部材にある相補形の切欠部（３１６）に突入する電気モータ。
【請求項４】
請求項１乃至３のいずれか１項に記載の電気モータにおいて、
半径方向で外側にある永久磁石（３１）のエッジ（３１０）と、半径方向で内側にずらされた磁束案内部材（３００）のエッジ（３１４）とが、永久磁石（３１）と磁束案内部材（３００）の間の接点領域を通るリブ（３１２）の対向するそれぞれの側にある電気モータ。
【請求項５】
請求項１乃至４のいずれか１項に記載の電気モータにおいて、
固定手段は磁束案内部材（３００）にだけ係合し、該磁束案内部材（３００）をポールハウジング（２８）に確保する保持力を及ぼす電気モータ。
【請求項６】
請求項１乃至５のいずれか１項に記載の電気モータにおいて、
固定手段は、ポールハウジング（２８）に保持された保持ばね（３０１）として構成されている電気モータ。
【請求項７】
請求項６に記載の電気モータにおいて、
保持ばね（３０１）はＵ字形を有し、保持ばね（３０１）の一方の脚部（３０２）が周方向に磁束案内部材（３００）または永久磁石（３１）を押し付け、ポールハウジング（２８）に支持されている電気モータ。
【請求項８】
請求項６または７に記載の電気モータにおいて、
保持ばね（３０１）と磁束案内部材（３００）または永久磁石（３１）との間には線形の接点がある電気モータ。
【請求項９】
請求項１乃至８のいずれか１項に記載の電気モータにおいて、
固定手段は内側にある保持リング（３１９）として構成されており、該保持リングは磁束案内部材（３００）および／または永久磁石（３１）を半径方向の位置でポールハウジング（２８）に確保する電気モータ。
【請求項１０】
請求項１乃至９のいずれか１項に記載の電気モータにおいて、
磁束案内部材（３００）と永久磁石（３１）の間にはスリット（３０９）があり、該スリットは、磁束案内部材（３００）と永久磁石（３１）の互いに向かい合う側面（３０３）の部分領域にわたって半径方向に伸長している電気モータ。
【請求項１１】
請求項１乃至１０のいずれか１項に記載の電気モータにおいて、
磁束案内部材（３００）は角形の断面を有する電気モータ。
【請求項１２】
請求項１乃至１１のいずれか１項に記載の電気モータにおいて、
磁束案内部材（３００）はその全長にわたり、半径方向で見て一定の断面を有する電気モータ。
【請求項１３】
請求項１乃至１２のいずれか１項に記載の電気モータにおいて、
磁束案内部材（３００）はその全長にわたり、半径方向で見て変化する断面を有する電気モータ。
【請求項１４】
請求項１３に記載の電気モータにおいて、
磁束案内部材（３００）の幅は、ポールハウジング（２８）に向かって半径方向に増大する電気モータ。
【請求項１５】
請求項１乃至１４のいずれか１項に記載の電気モータを備える、内燃機関用のスタータ装置。
【発明の詳細な説明】
【技術分野】
【０００１】
本発明は、請求項１の上位概念による永久磁石励磁型電気モータに関連する。
【背景技術】
【０００２】
特許文献１から、内燃機関用の電気スタータモータが公知であり、このモータはポールハウジングに永久磁石を有し、永久磁石は電機子軸をその上に配置された電機子とともに包囲する。永久磁石は保持ばねによってハウジング内に固定される。この保持ばねは隣接する磁石の間に配置されており、磁石の一方の端面に弾性に当接するばねアームを有する。低い回転数でも大きなトルクが出力される直巻特性を達成するために、永久磁石には磁束案内部材が割り当てられており、この磁束案内部材は良導磁性の材料からなり、磁束を案内するために用いられる。特許文献１によれば、保持ばねはハウジングに付加的にリベットによって固定されており、これにより磁束案内部材に作用する半径方向の力を吸収し、磁束案内部材を含めた磁石をハウジング内に所望の位置で保持することができる。
【０００３】
特許文献１に記載された別の実施形態によれば、永久磁石は磁束案内部材も含めて保持リングによってポールハウジングに位置決めされており、この保持リングが永久磁石を磁束案内部材を、周囲のポールハウジングに対して半径方向に確保する。保持リングから９０°に突き出たばね舌片が、磁束案内部材を周方向に磁石にあてがう。適切な保持ばねを介した保持も、保持リングを介した保持も、または単純な保持ばねと溶接もしくはリベット留めされた磁束案内部材としての実施形態も比較的面倒である。
【先行技術文献】
【特許文献】
【０００４】
【特許文献１】ＤＥ３５３９８５１Ａ１
【発明の概要】
【発明が解決しようとする課題】
【０００５】
本発明の基礎とする課題は、研磨のような面倒な副次的作業なしで磁石と磁束案内部材がポールハウジングに確実に保持されるように永久磁石励磁型電気モータを、単純な構造的措置により構成することである。
【課題を解決するための手段】
【０００６】
この課題は本発明により、請求項１の特徴によって解決される。従属請求項は有利な改善形態を示す。
【０００７】
本発明は、内燃機関用のスタータモータとして使用される永久磁石励磁型電気モータから出発する。この電気モータはとりわけインナロータモータとして構成されており、固定子が電機子を備える電機子軸を包囲する。固定子はポールハウジングを有し、ポールハウジングの内側には永久磁石と磁束案内部材が固定手段によって固定されている。
【０００８】
本発明によれば、少なくとも１つの永久磁石と少なくとも１つの磁束案内部材とが互いに噛み合うように配置されており、半径方向に、有利には周方向にも噛み合っている。たとえばこれは周方向に伸長する突起によって実現され、この突起は構成部材の一方に配置されており、他方の構成部材の切欠部に相補的形状で突入する。ここでは、突起が永久磁石の一方の端面に配置されており、切欠部が磁束案内部材の向かい合う端面に取り付けられている実施形態も、突起が磁束案内部材にあり、切欠部が永久磁石にある反対の実施形態も両方とも可能である。両方の場合とも（場合によっては互いに組み合わせることもできる）、突起と切欠部は周方向に伸長し、これにより半径方向では互いに噛み合う区間の間にアンダカットが生じ、形状的に結合するようになる。突起または切欠部が形成されている端面は、それぞれの構成部材を周方向に制限する。
【０００９】
形状的に結合しているので、構成部材の１つだけを、すなわち永久磁石または磁束案内部材のいずれかだけを固定手段によってポールハウジングに固定すれば基本的に十分である。形状的な結合を介して保持力が、固定手段により直接固定されていない構成部材にも伝達され、この構成部材がポールハウジングの内側の位置に確保される。したがって基本的に、固定手段と直接接触していない構成部材を、別の固定手段により確保する必要はなく、または２つの構成部材を同じ固定手段により直接保持する必要もない。同じことが変形実施形態でも可能である。
【００１０】
本発明の実施形態のさらなる利点は、永久磁石の側面が、従来技術の場合よりもわずかしか後処理する必要がないか、またはまったく後処理の必要がないことである。基本的に磁石を作製後に、側方制限面の処理なしで、とりわけ研磨工程なしで電気モータに直接取り付けることができる。なぜなら作製に起因して平行な磁石の側面でも、磁束案内部材により形状的に噛み合っているため使用することができるからである。プレス後に存在する側面が平行な磁石は、この形状のままでポールハウジングに直接嵌め込むことができる。
【００１１】
側面が後処理される場合であっても、従来技術の実施形態と比較して、この後処理はわずかなものとすることができる。したがって側面を半径方向の伸長部の一部でだけ研磨すれば十分であり、これにより角度の付いた側方の制限面が永久磁石に得られる。研磨された部分面を角度を付けて配向することで、磁束案内部材による形状的な噛み合いを実現することができ、永久磁石と磁束案内部材とが互いに噛み合う際に付加的な構造空間を必要としない。
【００１２】
形状的な確保に加えて、永久磁石をポールハウジングの内側に保持するためにドーム作用が利用される。これは永久磁石が対向する両方の側面に支持され、一方の側面に磁束案内部材が配置されることによって行われる。磁束案内部材はスタータモータのスイッチオン時に、半径方向で内側に作用する高められた力を受けるから、磁束案内部材と当接する永久磁石との間の形状的な結合を介して、電機子軸の方向での半径方向のずれに対して改善された相互の支持が得られる。
【００１３】
好ましい実施形態によれば、磁束案内部材と永久磁石との間の接触面の領域にスリットがあり、このスリットは互いに向き合う側面の部分領域を少なくとも超えて半径方向に伸長している。このスリットは、磁石および／または磁束案内部材の製造公差を補償するために用いられ、したがって磁石の製造の際に研磨後処理を省略することができる。このスリットはとりわけ、磁束案内部材による磁気的短絡を減少させる。
【００１４】
別の好ましい実施形態によれば、永久磁石と磁束案内部材の互いに向き合う側面では、一方では半径方向で外側の永久磁石のエッジに、他方では半径方向でさらに内側にある磁束案内部材のエッジに、接点領域を通るリブを基準にして異なる側になるような幾何形状が付与されている。これはその実施形態では、永久磁石と磁束案内部材の間の接触面がリブに対して角度をなしていることを意味し、これにより十分な形状的な結合が保証される。ここでは、半径方向で外側にある永久磁石のエッジが、半径方向で内側にある永久磁石のエッジよりさらに周方向に伸長している実施形態も、半径方向で外側にあるエッジが半径方向で内側にあるエッジよりも同じ側面ではわずかしか周方向に伸長していない実施形態も考えられる。ここで磁束案内部材の向かい合う側面はそれぞれ相補形の断面形状を有する。さらに、互いに角度を付けて配置された２つの部分面を永久磁石の側にも、磁束案内部材の側にも有する角度のある側面幾何形状も可能である。
【００１５】
さらに別の実施形態によれば、半径方向に伸長する接触面も基本的に可能である。この場合、一方の構成部材にあって周方向に伸長する少なくとも１つの突起と、他方の構成部材にあって対応して構成された切欠部とが形状的な結合を保証する。
【００１６】
さらに別の実施形態によれば、永久磁石とこれに割り当てられて磁束案内部材をポールハウジングの内側に保持するための固定手段が保持ばねとして構成されており、保持ばねはドーム作用によってポールハウジングに当接し、たとえばノーズを介してポールハウジング内に位置が保持される。保持ばねは有利にはＵ字形を有し、一方の脚部を周方向に磁束案内部材に対して、または永久磁石に対して押し付ける。保持ばねは磁束案内部材結合体に割り当てられる。この場合、隣接する２つの永久磁石が磁束案内部材も含めて共通のばねを介して確保される保持ばねの実施形態も考えられる。保持ばねの脚部は、磁束案内部材もしくは永久磁石を点、線または面で押し付ける。
【００１７】
成形された結束部を有する端面側の保持リングとして固定手段を構成する実施形態も基本的に可能である。この保持リングは磁束案内部材および／または永久磁石の位置を、ポールハウジングに対して半径方向に保持する。
【００１８】
別の好ましい実施形態によれば、磁束案内部材が半径方向で見て一定の断面を有し、たとえば矩形であるその基本幾何形状に関係なく、部分円形または角形の断面を有することができる。しかし半径方向に変化する断面、とりわけ半径方向で内側から外側に拡大する断面を有する磁束案内部材を使用することもできる。
【００１９】
磁束案内部材は好ましくは、薄板部材、曲げ部材、打抜き部材、またはフロープレス部材として実施される。
【００２０】
さらなる利点および有利な実施形態は、請求の範囲、図面の説明および図面から明らかである。
【図面の簡単な説明】
【００２１】
【図１】内燃機関用のスタータ装置の縦断面図である。
【図２】スタータ装置の電気モータの、縦軸に対して横の断面図である。
【図３】角形に構成され、側方に続く磁束案内部材を有する永久磁石の拡大平面図である。
【図４】角形の磁束案内部材の２つの脚部が非対称に構成されている別の変形実施形態を示す図である。
【図５】磁束案内部材が半径方向に変化する断面を有する別の変形実施形態を示す図である。
【図６】磁束案内部材にあって周方向に伸長する突起が、永久磁石の側面にある対応の切欠部に突入する別の変形実施形態を示す図である。
【発明を実施するための形態】
【００２２】
図中、同じ構成部材には同じ参照符合が付してある。
【００２３】
図１は、スタータ装置１０の縦断面を示す。このスタータ装置１０は、たとえばスタータモータ１３と噛み合いリレー１６を有する。スタータモータ１３と噛み合いリレー１６は、共通の駆動支承部ハウジング１９に固定されている。スタータモータ１３は機能的に、ここの図示しない内燃機関のリングギヤ２５に噛み合ったときにクランキングピニオン２２を駆動するために用いられる。
【００２４】
スタータモータ１３は、永久磁石励磁型電気モータとして構成されており、ハウジングとしてポールチューブ２８を有する。ポールチューブ２８の内周には永久磁石３１が支持されており、永久磁石にはそれぞれ磁束案内部材が割り当てられている。永久磁石３１はさらに電機子３７を包囲する。電機子３７は、薄板４０から構成された電機子積層板４３と溝４６に配置された電機子巻線４９を有する。電機子積層板４３は、電機子軸または駆動軸４４にプレスされている。さらにクランキングピニオン２２とは反対側の駆動軸４４の端部には整流子５２が取り付けられており、この整流子は個別の整流子積層板５５から構成されている。整流子積層板５５は公知のように電機子巻線４９と電気的に接続されており、炭素ブラシ５８による整流子積層板５５の通電の際に、ポールチューブ２８内で電機子３７の回転運動が生じる。噛み合いリレー１６とスタータモータ１３との間に配置された電流供給部６１は、スイッチオン状態で炭素ブラシ５８に電流を供給する。駆動軸４４は、整流子側で軸ジャーナル６４と滑り軸受６７内で支持されており、滑り軸受６７はさらに整流子ベアリングカバー７０内に位置固定されて保持されている。整流子カバー７０はさらに、ポールチューブ２８の周囲にわたって分散して配置された通しボルト７３（たとえば２，３または４つの部材のねじ）により駆動支承部ハウジング１９内に固定されている。ここでポールチューブ２８は駆動支承部ハウジング１９に支持されており、整流子ベアリングカバー７０はポールチューブ２８に支持されている。
【００２５】
駆動方向で電機子３７にはいわゆるサンギヤ８０が続いており、このサンギヤは遊星伝動装置８３の一部である。サンギヤ８０は複数のプラネットギヤ８６、通例は３つのプラネットギヤ８６により取り囲まれており、これらはローラベアリング８９によって軸ジャーナル９２に支持されている。プラネットギヤ８６は中空ギヤ９５内を回転する。中空ギヤ９５はポールチューブ２８内で外側に支承されている。駆動側に向いた方向で、プラネットギヤ８６にはプラネット支持体９８が続いており、このプラネット支持体９８内には軸ジャーナル９２が収容されている。プラネット支持体９８はさらに、中間ベアリング１０１とその中に配置された滑り軸受１０４に支承されている。中間ベアリング１０１は台形に構成されており、この中にプラネット支持体９８もプラネットギヤ８６も収容されている。さらに台形の中間ベアリング１０１内には中空ギヤ９５が配置されており、中空ギヤ９５は最終的にカバー１０７により電機子３７に対して閉鎖されている。中間ベアリング１０１の外周はポールチューブ２８の内側に支持されている。電機子３７は、整流子５２とは反対側の駆動軸４４の端部に別の軸ジャーナル１１０を有し、この軸ジャーナル１１０も同様に滑り軸受１１３内に収容されている。滑り軸受１１３はさらに、プラネット支持体９８の中央孔部内に収容されている。プラネット支持体９８は駆動軸１１６と一体的に結合されている。中間ベアリング１０１とは反対側の駆動軸１１６の端部は、駆動支承部ハウジング１９に固定された別のベアリング１２２に支持されている。駆動軸１１６は種々の部分に分割されている。中間ベアリング１０１の滑り軸受１０４内に配置された部分には、いわゆる軸ハブ結合部の一部である平歯車１２５を備える部分が続いている。この場合この軸ハブ結合部１２８により、ドライバ１３１の軸方向の直線状のスライドが可能になる。このドライバ１３１はスリーブ状の突起であり、フライホイール１３７の台形の外側リングと一体になっている。このフライホイール１３７（回転方向ロック）はさらに、半径方向で外側リング１３２の内部に配置された内側リング１４０からなる。内側リング１４０と外側リング１３２との間には締付け体１３８が配置されている。この締付け体１３８は、内側リングと外側リングのＶ字経路に関連して、第２の方向での外側リングと内側リングとの間の相対的回転を阻止する。言い替えると、フライホール１３７により、内側リング１４０と外側リング１３２との間の相対運動は一方向でだけ可能である。この実施例では、内側リング１４０がクランキングピニオン２２およびそのはす歯１４３（外側はす歯）と一体的に構成されている。
【００２６】
完全にするため、ここでさらに噛み合い機構について説明する。噛み合いリレー１６は、電気接点であるボルト１５０を有し、ここに図示しないスタータバッテリーのプラス極に接続されている。このバルト１５０は、リレーカバー１５３を貫通して案内されている。このリレーカバー１５３はリレーハウジング１５６を閉鎖し、リレーハウジング１５６は複数の固定エレメント１５９（ねじ）によって駆動支承部ハウジング１９に固定されている。さらに噛み合いリレー１６には、吸着コイル１６２といわゆる保持コイル１６５が配置されている。吸着コイル１６２と保持コイル１６５は両方とも、それぞれスイッチオン状態で磁界に作用する。この磁界は、（導磁性材料からなる）リレーハウジング１５６、線形に運動する電機子１６８および電機子受け座１７１を通って流れる。電機子１６８はストラストロッド１７４を支持し、このストラストロッド１７４は電機子１６８が線形に吸着する際にスイッチボルト１７７の方向へ運動する。スイッチボルト１７７へのこのストラストロッド１７４の運動により、スイッチボルト１７７がその静止位置から２つの接点１８０と１８１の方向へ運動し、これにより、接点１８０と１８１側の端部に取り付けられたスイッチボルト１７７の接点ブリッジ１８４が２つの接点１８０と１８１を互いに電気接続する。これにより、ボルト１５０からの電気出力が接点ブリッジ１８４を介して電流供給部６１に、そして炭素ブラシ５８に導かれる。そしてスタータモータ１３は通電される。
【００２７】
しかし噛み合いリレー１６または電機子１６８はさらに、駆動支承部ハウジング１９に回動可能に配置されたレバーを引張りエレメント１８７によって運動させるという役目も有する。このレバー１９０は通例、フォークレバーとして構成されており、ここに図示しない２つの「歯」の外周が２つのディスク１９３と１９４に係合する。そしてこれらの間に締め付けられたドライバリング１９８をフライホール１３７の方に、ばね２００の抵抗に抗して運動させ、これによりクランキングピニオン２２がリングギヤ２５に噛み合う。
【００２８】
電気モータとして構成されたスタータモータの固定子１３が、図２に断面図で示されている。シリンダ状のポールハウジング２８の内側には、周囲にわたって分散されて永久磁石３１が配置されている。各永久磁石３１には、周方向に続く磁束案内部材３０がそれぞれ１つ割り当てられている。この磁束案内部材は良導磁性材料からなる。磁束案内部材３００は割り当てられた永久磁石３１と接触しており、場合により永久磁石３１と磁束案内部材３００の向き合う側面の間には製造技術に起因する小さな空隙がある。
【００２９】
図３には、ポールハウジング２８の内側にある永久磁石３１と、これに割り当てられた磁束案内部材３００との間の形状的な結合が示されている。永久磁石３１は磁気中央面を基準にして鏡対称に構成されており、部分的に円形の断面形状を有する。半径方向で外側３０８はポールハウジング２８の内壁に直接当接しており、半径方向で内側３０７は電機子に対して小さな半径方向間隔を有する。磁石を周方向で画定する側壁３０３はそれぞれ角度を付けて構成されており、半径方向外側にある部分３０４およびこれに対して角度をなして伸長するノーズ３０５を有する。部分３０４と３０５の互いに角度は、プレス技術に起因して６０゜より小さい。ノーズ３０５と半径方向内側３０７との移行部には磁石脚部３０６が取り付けられている。永久磁石３１の対向する２つの側面にある半径方向外側部分３０４は、互いに平行である。
【００３０】
側方の境界面３０３の１つには磁束案内部材３００が続いており、その断面形状は永久磁石３１の側面形状に適合されている。磁束案内部材３００は、永久磁石３１に向いた側に、永久磁石の側面３０３に対して相補的な幾何形状を有する。したがって磁束案内部材３００も角形に構成されており、２つの角度部分はほぼ同じ長さである。永久磁石３１の側面と磁束案内部材３００の間の接点領域には、公差空隙として用いられるスリット３０９があり、とりわけ永久磁石３１の製造公差を補償する。スリット３０９は、接点領域の全軸長を超えては伸長せず、永久磁石３１の半径方向内側３０７と半径方向外側３０８に隣接しており、永久磁石の側面３０３と磁束案内部材３００とは直接接触している。
【００３１】
永久磁石３１および割り当てられた磁束案内部材３００をポールハウジング２８の内側に保持するために、保持ばね３０１として構成された固定手段が設けられている。この固定手段は、磁束案内部材３００に周方向に保持力を及ぼす。保持ばね３０１の一方の脚部はポールハウジング２８の内側に支持されており、保持ばねの他方の脚部は磁束案内部材３００のエッジと線形に接触しており、磁束案内部材３００に周方向に、ポールハウジングに付加的なエレメントにより半径方向に力を及ぼす。保持ばね３０１はＵ字形に構成されているが、簡単に図示するため一方の脚部３０２だけが図示されている。保持ばね３０１は、半径方向に伸長する軸３１５に対して対称である。保持ばねは図示しないノーズを介してポールハウジング内に位置決めされる。
【００３２】
磁束案内部材３００と永久磁石３１は半径方向で見て互いに形状的に結合しており、したがって永久磁石３１をポールハウジング２８の内側でその半径方向位置に確保するためには、保持ばね３０１を介して磁束案内部材３００を保持するだけで基本的に十分である。永久磁石３１と磁束案内部材３００の側面に角度が付けられているので、これらの構成部材間には半径方向に形状な結合が得られる。ここでリブ３１２を基準にして永久磁石３１の半径方向外側にあるエッジ３１０は、永久磁石と磁束案内部材との間では接点領域を通り、中央のエッジ３１３に対向する側にある。この中央のエッジ３１３は、磁束案内部材３００の角度のある２つの部分の間に角度を付けて形成されている。同じように、磁束案内部材３００の半径方向内側エッジ３１１は、側面３０３にある永久磁石３１の中央のエッジ３１４に対向するリブ３１２の側にある。このようにして、永久磁石３１と磁束案内部材３００が周方向で互いに噛み合い、半径方向での形状的な結合が得られることが保証される。
【００３３】
図３の実施例では、永久磁石３１の側面３０３にある２つの側方の部分３０４と３０５がそれぞれ少なくとも近似的に同じ長さに構成されている。これに対して図４の実施例では、半径方向で外側３０８に達する部分３０４が半径方向で内側を向いた部分３０５より長く構成されている。部分３０４は部分３０５の少なくも２倍の長さである。先行の実施例と同じように、半径方向で外側を指す部分３０４は対向する側面で互いに平行である。
【００３４】
図５の実施例では、永久磁石３１に図４に対応する幾何形状が付されている。磁束案内部材３００は、先行の実施例とは異なり半径方向に変化する断面形状を有する。半径方向で内側３０７に隣接する側に、磁束案内部材３００は半径方向で外側３０８に向いた側より小さい伸長部を周方向に有する。
【００３５】
先行の実施例とのさらなる相違は、半径方向で外側３０８に伸長する部分３０４に、永久磁石３１と磁束案内部材３００との偏平な接点があることである。これに対して、側面３０３にある半径方向で内側にある部分３０５と、磁束案内部材３００にある向かい側の側面との間には空隙３０９がある。
【００３６】
図６の実施例では、永久磁石３１の研磨された側面３０３が半径方向に配向されており、切欠部３１６が設けられている。この切欠部３１６には、磁束案内部材３００にある相補形に構成された突起３１７が突入する。この突起３１７の領域では、切欠部３１６の壁に向かって空隙３０９を形成することができる。
【００３７】
磁束案内部材３００は、突起３１７に対向する壁側に相補形の切欠部を有する。この切欠部は、磁束案内部材が作製される一定の厚さの薄板を、突起３１７を形成するためのプレスすることにより生じる。破線３１８が示すように、磁束案内部材３００は周方向に場合により比較的大きな厚さを有することができる。厚さを大きくするためには、部分円直径の増大とともに大きくなる断面が有利である。
【００３８】
固定手段として図６では保持リング３１９が設けられている。この保持リング３１９は半径方向で内側３０７に配置されており、永久磁石３１ならびに磁束案内部材３００を半径方向に支持する。周方向では、磁束案内部材３００が図示しないばね舌片により磁石３１に当接している。
【図１】
2013500696.tif 000003
【図２】
2013500696.tif 000004
【図３−４】
2013500696.tif 000005
【図５−６】
2013500696.tif 000006
【国際調査報告】
2013500696.tif 000007
2013500696.tif 000008
2013500696.tif 000009
2013500696.tif 000010
2013500696.tif 000011